【手続補正書】
【提出日】平成19年12月21日(2007.12.21)
【手続補正１】
【補正対象書類名】特許請求の範囲
【補正対象項目名】全文
【補正方法】変更
【補正の内容】
【特許請求の範囲】
【請求項１】
物品を防火するための補強不織布であって、第１の面および第２の面を有するオープンメッシュスクリムを含んでなり、第１の面が、その上に捲縮耐熱性有機繊維が圧縮され、繊維が、圧縮された状態で熱可塑性バインダーによって保持され、
布帛が熱または火炎に曝されたとき、布帛がその厚さを少なくとも３倍だけ増加させることができる補強不織布。
【請求項２】
請求項１に記載の補強不織布を含んでなる防火された物品。
【請求項３】
請求項１に記載の補強不織布を含んでなる防火されたマットレス。
【請求項４】
物品を防火するための、熱または火炎中で嵩高化する補強不織布を製造するための方法であって、
ａ）捲縮耐熱性有機繊維と、バインダー繊維とを含んでなるマットを形成する工程と、  ｂ）マットをオープンメッシュスクリムの第１の面と接触させて、布帛アセンブリを形成する工程であって、前記スクリムが第１および第２の面を有する工程と、
ｃ）バインダー粉末を布帛アセンブリに付与する工程と、
ｄ）布帛アセンブリを加熱して、バインダー繊維およびバインダー粉末を活性化する工程と、
ｅ）布帛アセンブリを圧縮された状態に圧縮する工程と、
ｆ）圧縮された状態の布帛アセンブリを冷却して、補強不織布を形成する工程とを含んでなる方法。
【請求項５】
外側布帛寝具用布層またはカバー布帛層と、補強不織布防火体の１つもしくはそれ以上の層と、フォームまたは繊維バッティングのクッショニング層と、場合によりステッチ裏当て層とを含んでなる防火キルティング製品であって、
補強不織布防火体が、その上に捲縮耐熱性有機繊維が圧縮されたオープンメッシュスクリムを含んでなり、繊維が、圧縮された状態で熱可塑性バインダーによって保持される防火キルティング製品。
【請求項６】
熱または火炎中で嵩高化する補強不織布層で物品を防火する方法であって、
ａ）補強不織布層、布帛寝具用布層または椅子張り布帛層、および場合によりクッショニング層を組合せる工程と、
ｂ）層を縫い合わせて、防火された布帛キルティング製品を形成する工程と、
ｃ）防火された布帛キルティング製品を物品に組入れる工程とを含んでなり、
補強不織布層が、第１の面および第２の面を有するオープンメッシュスクリムを含んでなり、第１の面が、その上に捲縮耐熱性有機繊維が圧縮され、繊維が、圧縮された状態で熱可塑性バインダーによって保持され、
布帛キルティング製品が熱または火炎に曝されたとき、補強不織布層がその厚さを少なくとも３倍だけ増加させることができる方法。
【請求項７】
物品がマットレスである請求項６に記載の物品を防火する方法。
【請求項８】
補強不織布が、スクリムの第２の面上に圧縮された捲縮耐熱性有機繊維をさらに含んでなり、繊維が、圧縮された状態で熱可塑性バインダーによって保持される請求項６に記載の物品を防火する方法。
【請求項９】
物品がマットレスである請求項８に記載の物品を防火する方法。
【手続補正２】
【補正対象書類名】明細書
【補正対象項目名】００６１
【補正方法】変更
【補正の内容】
【００６１】
【表１】
2007530806.tif 000001
本発明の好適な実施の態様は次のとおりである。
１．  物品を防火するための補強不織布であって、第１の面および第２の面を有するオープンメッシュスクリムを含んでなり、第１の面が、その上に捲縮耐熱性有機繊維が圧縮され、繊維が、圧縮された状態で熱可塑性バインダーによって保持され、
布帛が熱または火炎に曝されたとき、布帛がその厚さを少なくとも３倍だけ増加させることができる補強不織布。
２．  布帛が熱または火炎に曝されたとき、布帛がその厚さを少なくとも５倍だけ増加させることができる上記１に記載の補強不織布。
３．  布帛が熱または火炎に曝されたとき、布帛がその厚さを少なくとも１０倍だけ増加させることができる上記１に記載の補強不織布。
４．  繊維が、圧縮された状態で、熱可塑性バインダーおよび熱可塑性オープンメッシュスクリムの組合せによって保持される上記３に記載の補強不織布。
５．  スクリムの第２の面上に圧縮された捲縮耐熱性有機繊維をさらに含んでなり、繊維が、圧縮された状態で熱可塑性バインダーによって保持される上記１に記載の補強不織布。
６．  オープンメッシュスクリムが熱可塑性材料を含んでなる上記１に記載の補強不織布。
７．  熱可塑性バインダーがバインダー繊維である上記１に記載の補強不織布。
８．  熱可塑性バインダーがバインダー繊維およびバインダー粉末の組合せを含んでなる上記７に記載の補強不織布。
９．  耐熱性有機繊維がパラ−アラミド繊維である上記１に記載の補強不織布。
１０．  熱可塑性バインダーがポリエステルバインダー粉末およびポリエステルバインダー繊維の組合せであり、オープンメッシュスクリムが同じまたは異なったポリエステルポリマーから製造される上記９に記載の補強不織布。
１１．  上記１に記載の補強不織布を含んでなる防火された物品。
１２．  上記１に記載の補強不織布を含んでなる防火されたマットレス。
１３．  物品を防火するための、熱または火炎中で嵩高化する補強不織布を製造するための方法であって、
ａ）捲縮耐熱性有機繊維と、バインダー繊維とを含んでなるマットを形成する工程と、  ｂ）マットをオープンメッシュスクリムの第１の面と接触させて、布帛アセンブリを形成する工程であって、前記スクリムが第１および第２の面を有する工程と、
ｃ）バインダー粉末を布帛アセンブリに付与する工程と、
ｄ）布帛アセンブリを加熱して、バインダー繊維およびバインダー粉末を活性化する工程と、
ｅ）布帛アセンブリを圧縮された状態に圧縮する工程と、
ｆ）圧縮された状態の布帛アセンブリを冷却して、補強不織布を形成する工程とを含んでなる方法。
１４．  オープンメッシュスクリムの第２の面を、耐熱性有機繊維と、バインダー繊維とを含んでなる第２の繊維マットと接触させる、工程ｃ）の前の追加の工程を有する上記１３に記載の方法。
１５．  外側布帛寝具用布層またはカバー布帛層と、補強不織布防火体の１つもしくはそれ以上の層と、フォームまたは繊維バッティングのクッショニング層と、場合によりステッチ裏当て層とを含んでなる防火キルティング製品であって、
補強不織布防火体が、その上に捲縮耐熱性有機繊維が圧縮されたオープンメッシュスクリムを含んでなり、繊維が、圧縮された状態で熱可塑性バインダーによって保持される防火キルティング製品。
１６．  熱または火炎中で嵩高化する補強不織布層で物品を防火する方法であって、
ａ）補強不織布層、布帛寝具用布層または椅子張り布帛層、および場合によりクッショニング層を組合せる工程と、
ｂ）層を縫い合わせて、防火された布帛キルティング製品を形成する工程と、
ｃ）防火された布帛キルティング製品を物品に組入れる工程とを含んでなり、
補強不織布層が、第１の面および第２の面を有するオープンメッシュスクリムを含んでなり、第１の面が、その上に捲縮耐熱性有機繊維が圧縮され、繊維が、圧縮された状態で熱可塑性バインダーによって保持され、
布帛キルティング製品が熱または火炎に曝されたとき、補強不織布層がその厚さを少なくとも３倍だけ増加させることができる方法。
１７．  物品がマットレスである上記１６に記載の物品を防火する方法。
１８．  補強不織布が、スクリムの第２の面上に圧縮された捲縮耐熱性有機繊維をさらに含んでなり、繊維が、圧縮された状態で熱可塑性バインダーによって保持される上記１６に記載の物品を防火する方法。
１９．  物品がマットレスである上記１８に記載の物品を防火する方法。